(57)【要約】【課題】ある時刻のある対象地域における日陰分布を地図上に表示した日陰分布地図を容易に作成することが可能な日陰分布地図作成装置を提供する。【解決手段】キーボード１と、実測された日陰分布地図の情報が保管されたデータ保管装置２と、日陰分布地図を作成するための演算装置３と、日陰分布地図を表示するための表示装置４とから構成されている。演算装置３は、キーボード１から入力された時刻に該当する季節及び時間帯の日陰分布地図情報をデータ保管装置２に保管されている日陰分布地図の情報から取得し、表示装置４へ送信するようにされている。【選択図】図３
2005258107.tif 000002
【特許請求の範囲】
【請求項１】
日陰分布地図を作成するための情報である日陰分布地図作成情報が保管されている日陰情報保管手段と、
時刻及び対象地域を入力するための入力手段と、
該日陰分布地図作成情報を参照して該時刻及び該対象地域における日陰分布地図を作成する日陰分布地図作成手段とを備えることを特徴とする日陰分布地図作成装置。
【請求項２】
日陰分布地図作成情報には、実測された時刻毎の日陰分布地図の情報が含まれていることを特徴とする請求項１記載の日陰分布地図作成装置。
【請求項３】
日陰分布地図作成情報には、時刻毎の太陽位置情報と三次元の地図情報とが含まれており、
日陰分布地図作成手段は、入力手段によって入力された時刻及び対象地域並びに日陰情報保管手段に保管された該時刻毎の太陽位置情報に基づいて該時刻及び該対象地域における太陽位置を算出し、該太陽位置と該三次元の地図情報とから該時刻及び該対象地域における日陰分布地図を作成することを特徴とする請求項１記載の日陰分布地図作成装置。
【請求項４】
日陰分布地図作成情報には時刻毎の太陽位置情報及び三次元の地図情報の他に、実測された時刻毎の日陰分布地図の情報が含まれており、
日陰分布地図作成手段は、日陰分布地図を作成する際に、該実測された時刻毎の日陰分布地図情報を参照することを特徴とする請求項３記載の日陰分布地図作成装置。
【請求項５】
入力手段は、歩行者の身長に関する情報が入力可能とされており、
日陰分布地図作成手段は、該歩行者が歩行したときに日陰の空間内に入ることができるか否かを考慮した日陰分布を作成することが可能とされていることを特徴とする請求項１乃至４のいずれか１項記載の日陰分布地図作成装置。
【請求項６】
入力手段は複数地点の入力が可能とされており、日陰分布地図作成手段は、該複数地点を通る複数の経路の中から、日陰部分の長さを考慮した経路の探索が可能とされていることを特徴とする請求項１乃至５のいずれか１項記載の日陰分布地図作成装置。
【請求項７】
入力手段は複数地点の入力の他、性別、年齢、身体的能力等の個人情報が入力可能とされており、
日陰分布地図作成手段は、該複数地点を通る複数の経路の中から、該個人情報を考慮して該個人に適した経路の探索が可能とされていることを特徴とする請求項６記載の日陰分布地図作成装置。
【請求項８】
入力手段と日陰情報保管手段と日陰分布地図作成手段とは通信ネットワーク上に設けられていることを特徴とする請求項１乃至７のいずれか１項記載の日陰分布地図作成装置。
【請求項９】
日陰分布地図を作成するための情報である日陰分布地図作成情報を保管する日陰情報保管工程と、
時刻及び対象地域を入力する入力工程と、
該時刻及び該対象地域における日陰分布地図を該日陰分布地図作成情報に基づいて作成する日陰分布地図作成工程とを備えることを特徴とする日陰分布地図作成プログラム。
【発明の詳細な説明】
【技術分野】
【０００１】
本発明は、ある時刻のある対象地域における日陰分布を地図上に表示した日陰分布地図を作成するための日陰分布地図作成装置に関する。
【背景技術】
【０００２】
真夏の炎天下を歩くことは大きな疲労をともなうため、多くの人はわざわざ日陰を選んで歩いていることが多い。特に女性にとって、真夏の強烈な紫外線は日焼け、シミ等の肌のトラブルの原因となるため、日陰を選んで歩くことが多い。発明者は、徒歩交通における日陰街路の利用特性について調査を行い、女性は日陰街路を選択する確率が高いことを立証している。一方、真冬の日陰は極めて寒く、凍結による転倒の危険性も高いため、多くの人は日向を選んで歩いていることが多い。また、公園等の植樹によって形成される日陰によって市民の憩いの場が提供されたり、高層ビルの建設によって日照権問題が発生する等、日陰は快適な環境を提供する上で重要な意味を持っており、日陰に関する情報の提供が望まれている。
【０００３】
一方、近年における情報処理技術の急速な発達により、コンピュータを利用した各種のＧＩＳ（地理情報システム）が開発され、道路や建築物や自然物等の空間情報を視覚化することも可能となっている。こうしたＧＩＳの発達により、単なる平面地図の表示だけでなく、地形解析、三次元可視化、景観シュミレーション、各種データの分布地図、目的地にいたる最短ルートの探索等、空間情報のより高度な利用もなされるようになっている（例えば特許文献１参照）。
【０００４】
【特許文献１】特開平１１−２５７９８７号公報
【発明の開示】
【発明が解決しようとする課題】
【０００５】
しかし、ある時刻のある対象地域における日陰分布を地図上に表示した日陰分布地図を作成することが可能な日陰分布地図作成装置は知られていない。
【０００６】
本発明は、上記従来の実情に鑑みてなされたものであって、ある時刻のある対象地域における日陰分布を地図上に表示した日陰分布地図を容易に作成することができる日陰分布地図作成装置を提供することを解決すべき課題としている。
【課題を解決するための手段】
【０００７】
本発明の日陰分布地図作成装置は、日陰分布地図を作成するための情報である日陰分布地図作成情報が保管されている日陰情報保管手段と、時刻及び対象地域を入力するための入力手段と、該日陰分布地図作成情報を参照して該時刻及び該対象地域における日陰分布地図を作成する日陰分布地図作成手段とを備えることを特徴とする。
【０００８】
本発明の日陰分布地図作成装置では、日陰分布地図を作成するための情報である日陰分布地図作成情報があらかじめ日陰情報保管手段に保管される。そして、キーボード等の入力手段によって日陰分布地図の作成を希望する時刻及び対象地域が入力される。ここでいう時刻とは、太陽位置を特定することが可能な時刻を意味し、例えば「○年○月○日○時」や「○年○月○日○時○分」等の時刻をいうが、「○年○月〜○月」、「○年○月○時〜○時」とか、「○年○月午前中」等の幅のある時刻であってもよい。そして、日陰分布作成手段が日陰分布地図作成情報を参照し、該時刻及び該対象地域における日陰分布地図を作成する。
【０００９】
したがって、本発明の日陰分布地図作成装置によれば、ある時刻のある対象地域における日陰分布を地図上に表示した日陰分布地図を容易に作成することができる。
【００１０】
日陰分布地図作成情報には、実測された時刻毎の日陰分布地図の情報が含まれているとすることができる。こうであれば、あらかじめ現地調査や航空写真等によって時刻毎の日陰分布を実測しておき、その時刻毎の日陰分布地図を日陰分布地図作成情報として日陰情報保管手段に保管しておくことにより、正確な日陰分布地図を容易に作成することが可能となる。
【００１１】
日陰分布地図作成情報には、時刻毎の太陽位置情報と三次元の地図情報とが含まれており、日陰分布地図作成手段は、入力手段によって入力された時刻及び対象地域並びに日陰情報保管手段に保管された該時刻毎の太陽位置情報に基づいて該時刻及び該対象地域における太陽位置を算出し、該太陽位置と該三次元の地図情報とから該時刻及び該対象地域における日陰分布地図を作成することができる。
【００１２】
こうであれば、あらかじめ現地調査や航空写真等によって時刻毎の日陰分布を調べておかなくても、該当する時刻における太陽位置と三次元地図情報とから、計算によって日陰分布地図を作成することが可能となる。このため、日陰分布地図作成情報を保管手段に保管するための労力を大幅に軽減することができる。
【００１３】
日陰分布地図作成情報には、時刻毎の太陽位置情報及び三次元の地図情報の他、実測された時刻毎の日陰分布地図情報が含まれており、日陰分布地図作成手段は、日陰分布地図を作成する際に、実測された時刻毎の日陰分布地図情報を参照することもできる。こうであれば、三次元地図情報が一部の地域において欠落していたり、正確でなかったりしていた場合であっても、実測された時刻毎の日陰分布地図情報を参照することによって、正確な日陰分布地図を作成することが可能となる。
【００１４】
入力手段は歩行者の身長に関する情報が入力可能とされており、日陰分布地図作成手段は、該歩行者が歩行したときに日陰の空間内に入ることができるか否かを考慮した日陰分布を作成することが可能とされていることが好ましい。こうであれば、歩行者にとって真に有用な日陰分布に関する情報を得ることができる。
【００１５】
また、入力手段は複数地点の入力が可能とされており、日陰分布地図作成手段は、該複数地点を通る複数の経路の中から、日陰部分の長さを考慮した経路の探索が可能とされていることが好ましい。こうであれば、歩行者が出発地点から目的地点に移動する場合、日陰部分の長さを考慮した経路の探索が可能となり、暑さや寒さによる苦痛を和らげたり、日焼けを防いだりすることができる。日陰部分の長さを考慮した経路の探索としては、例えば、最も日陰部分の割合が多い経路を探索したり、全長が短い順に経路をリストアップして、それらの日陰部分の割合を表示したりすることなどがある。
【００１６】
この場合において、入力手段は複数地点の入力の他、性別、年齢、身体的能力等の個人情報が入力可能とされており、日陰分布地図作成手段は、該複数地点を通る複数の経路の中から、該個人情報を考慮して該個人に適した経路の探索が可能とされていることが好ましい。発明者の調査によれば、歩行者の歩行特性は、その歩行者の性別、年齢、身体的特性等の個人的特性に依存するからである。なお、入力手段は個人情報の他、対象地域における気温や湿度等の対象地域情報が入力可能とされており、日陰分布地図作成手段は、複数地点を通る経路の中から、該個人情報及び該対象地域情報を考慮して該個人に適した経路の探索が可能とすることも好ましい。個人に適した経路は、対象地域における気温や湿度等によっても変化しうるからである。
【００１７】
また、入力手段と日陰情報保管手段と日陰分布地図作成手段とは有線や無線による通信ネットワーク上に設けられていてもよい。こうであれば、利用者は電話回線、光ケーブル等の通信ネットワークを介して日陰分布地図に関する情報を手に入れることができる。
【００１８】
この場合において、入力手段を携帯電話や無線での送受信が可能な小型パソコン端末等とし、日陰分布作成手段によって作成された日陰分布地図を携帯電話や小型パソコン端末等に表示することもできる。こうであれば、利用者は無線による送受信が可能な地域のどこからでも利用可能となり、好適である。
【００１９】
本発明の日陰分布地図作成装置は、本発明の日陰分布地図作成プログラムによって実現可能である。すなわち、本発明の日陰分布地図作成プログラムは、日陰分布地図を作成するための情報である日陰分布地図作成情報を保管する日陰情報保管工程と、時刻及び対象地域を入力する入力工程と、該時刻及び該対象地域における日陰分布地図を該日陰分布地図作成情報に基づいて作成する日陰分布地図作成工程とを備えることを特徴とする。
【発明を実施するための最良の形態】
【００２０】
以下、本発明を具体化した実施形態１〜４を図面を参照しつつ説明する。
【００２１】
（実施形態１）
実施形態１の日陰分布地図作成装置は、図１に示すように、キーボード１と、データ保管装置２と、日陰分布地図を作成するための演算装置３と、日陰分布地図を表示するための表示装置４とから構成されている。これらの構成要素は、全てが一台のパソコンに組み込まれていてもよく、図２に示すように、入力装置１と表示装置４とがパソコン５や携帯電話６に組み込まれ、データ保管装置２と演算装置３とがホストサーバ７に組み込まれ、パソコン５及び携帯電話６と、ホストサーバ７とが通信ネットワーク８上に設けられていてもよい。
【００２２】
演算装置３は、キーボード１から入力された時刻に該当する季節及び時間帯の日陰分布地図情報をデータ保管装置２に保管されている日陰分布地図の情報から取得し、表示装置４へ送信するようにされている。
【００２３】
以上のように構成された実施形態１の日陰分布地図作成装置では、図３に示すフローチャートに従って日陰分布地図の作成処理がなされる。
【００２４】
先ずステップ（以下「Ｓ」と略す）１０１として、日陰分布に関する現地調査や航空写真に基づいて作成された、春夏秋冬のいずれかの季節における一定の時間帯毎の日陰分布地図の情報がデータ保管装置２に保管される。
【００２５】
次に、Ｓ１０２としてキーボード１から日陰分布地図の対象地域、年月日及び時間帯が入力される。
【００２６】
さらに、Ｓ１０３として、演算装置３がデータ保管装置２に保管されている日陰分布地図情報からキーボード１によって入力された年月日及び時間帯に該当する日陰分布地図情報を取得し、表示装置４へ送信する。
【００２７】
最後に、Ｓ１０４として、演算装置３から送信された日陰分布地図情報に基づき、表示装置４が対象地域の日陰分布地図を表示する（図４参照）。
【００２８】
以上のように、実施形態１の日陰分布地図作成装置では、キーボード１によって年月日、時間帯及び対象地域を入力するだけで、表示装置４に対象地域の日陰分布地図が表示される。
【００２９】
（実施形態２）
実施形態２の日陰分布地図作成装置は、図１に示すように、実施形態１の日陰分布地図作成装置と同様、キーボード１１、データ保管装置１２、演算装置１３及び表示装置１４から構成されている。
【００３０】
演算装置１３は、データ保管装置１２に保管されている時刻毎の太陽位置情報を参照しながら、キーボード１１によって入力された年月日及び時間帯の対象地域における太陽位置を算出する。そして、さらに演算装置１３は、キーボード１１によって入力された高さに関する情報であるＡｍ（例えば歩行者の身長）に基づき、地上Ａｍの高さにおける日陰分布（これを「Ａｍ日陰分布」と定義する）をデータ保管装置１２に保管されている三次元地図情報を参照しながら算出し、表示装置１４へ送信するようになっている。なお、データ保管装置２はＡｍ日陰分布の替わりに、地上Ａｍの高さにおいて日陰となり、かつその日陰幅がＢｍ以上となる日陰分布（これを「ＡＢｍ日陰分布」と定義する）を算出し、対象地域の平面地図情報とともに表示装置１４へ送信することも可能とされている。さらに、Ａｍ日陰分布（又はＡＢｍ日陰分布）と、実測に基づく日陰分布地図情報とが両方とも存在する場合には、どちらかを優先的に選択することも可能とされている。
【００３１】
以上のように構成された実施形態２の日陰分布地図作成装置では、図５に示すフローチャートに従って日陰分布地図の作成処理がなされる。
【００３２】
すなわち、まずＳ２０１において、時刻毎の太陽位置情報と、道路、歩道、建物、橋等の人工建造物や、樹木、山等の自然物の三次元形状が異なる複数の縮尺の階層レベルでデジタル化された三次元地図情報と、現地調査や航空写真によって実測された日陰分布地図の情報とがデータ保管装置１２に保管される。
【００３３】
次にＳ２０２において、キーボード１１から日陰分布地図の対象地域、年月日、時間帯、身長（Ａｍ）及び日陰幅（Ｂｍ）が入力される。ここで、Ａｍとしては任意に数値を入れることができる。例えば、Ａｍの数値として個人の実測身長を入力したり、一般成人男子や一般成人女子の平均身長を入力したり、車椅子に座った状態での頭頂までの高さを入力したりすることができる。
【００３４】
さらにＳ２０３として、演算装置１３がデータ保管装置１２に保管されている時刻毎の太陽位置情報を参照しながら、キーボード１１によって入力された年月日、時間帯及び対象地域における太陽の高さと方向とが算出される。
【００３５】
そしてＳ２０４として、演算装置１３がデータ保管装置１２に保管されている三次元地図情報を参照しながら、算出された太陽の高さと方向におけるＡｍ日陰分布（又はＡＢｍ日陰分布）が算出される。
【００３６】
さらにＳ２０５として、演算装置１３がデータ保管装置１２に保管されている実測された日陰分布地図情報を参照し、キーボード１１によって入力された年月日及び時間帯に該当する日陰分布地図情報を取得する。
【００３７】
最後に、Ｓ２０６として、Ｓ２０４で算出されたＡｍ日陰分布（又はＡＢｍ日陰分布）とＳ２０５で取得された実測に基づく日陰分布地図情報とが合成され、表示装置１４に送信され、日陰分布地図が表示される。この場合において、日陰分布地図情報とＡｍ（又はＡＢｍ日陰分布）との間に重複する地域が含まれている場合には、予め指定されていた方が優先的に表示される。
【００３８】
以上のように、実施形態２の日陰分布地図作成装置では、キーボード１１によって年月日、時間帯、対象地域、身長（Ａｍ）、日陰幅（Ｂｍ）を入力するだけで、自動的に表示装置１４に対象地域の平面地図と日陰分布とが表示される。しかも、この日陰分布は、その対象地域の歩行者の頭頂部まで日陰に入るか否かを考慮して算出されているため、日陰（あるいは日向）を選択して歩きたいと考える歩行者にとって、有用な日陰分布に関する情報となる。さらには、表示装置１４によってＡＢｍ日陰分布を表示させる場合には、日陰幅を考慮に入れた日陰分布地図を作成することが可能となり、歩行者にとってさらに有用な日陰分布に関する情報が得られることとなる。
【００３９】
（実施形態３）
実施形態３の日陰分布地図作成装置は、図１に示すように、実施形態１の日陰分布地図作成装置と同様、キーボード２１、データ保管装置２２、演算装置２３及び表示装置２４から構成されている。
【００４０】
演算装置２３は、実施形態２の演算装置１３と同様にＡｍ日陰分布（又はＡＢｍ日陰分布）の算出及び実測に基づく日陰分布地図情報の取得が可能とされている他、以下のように日陰部分の長さを考慮した経路の探索が可能とされている。
【００４１】
すなわち、演算装置２３によって作成された日陰分布地図から、歩道区間内の日陰の長さである日陰区間距離を各歩道区間ごとに算出する。ここで歩道区間とは、地図上で予め設定され、適当に区切られた歩道の区間のことをいう。例えば、道路の交差点（信号の有無を問わない。以下同様）から交差点まで等のように、歩行者が経路を変更できない歩道の区間を歩道区間として定めてもよく、予め適当な距離（例えば１０００ｍ）ごとに区切られた歩道の区間として定めてもよい。歩道とは、一般には白線やマウントアップ等によって車道と分離され、人が安全に歩くことができる歩行空間を指すが、特に歩道と車道とが分離されていない場合や、白線等によって分離されているだけであり、十分な歩道幅が確保されていない場合も含まれる。また、自転車道等が混在する場合などにおいては、人が安全に歩行可能な街路部分も含むものとし、車椅子や自転車等にも通常程度利用されているものも含む。
【００４２】
次に、出発地点から終着地点に至る様々な経路のうち、距離の短い順にｎ個の経路を選出し、これらｎ個の経路それぞれにおける日陰区間距離の総和を求める。ここで、ｎは任意に指定可能な自然数である。そして、それらｎ個の経路、経路の全長、日陰区間距離の総和及び日陰区間率に関する情報を表示装置２４に送信する。ここで、日陰区間率とは（日陰区間距離の総和）／（経路の全長）で表される数値である。
【００４３】
以上のように構成された実施形態２の日陰分布地図作成装置では、図６に示すフローチャートに従って日陰分布地図の作成処理がなされる。
【００４４】
すなわち、まずＳ３０１において、実施形態２におけるＳ２０１と同様にして時刻毎の太陽位置情報と三次元地図情報と実測された日陰分布地図の情報とがデータ保管装置２２に保管される。
【００４５】
次にＳ３０２として、キーボード２１から日陰分布地図の対象地域、年月日、時間帯、身長（Ａｍ）、日陰幅（Ｂｍ）、出発地点及び終着地点が入力される。
【００４６】
さらにＳ３０３として、実施形態２のＳ２０２〜Ｓ２０４と同様にして、日陰分布地図が算出される。
【００４７】
そしてＳ３０４として、日陰分布地図から各歩道区間ごとの日陰区間距離が算出され、出発地点から終着地点までの経路の全長が短い順にｎ個選出される。さらにはそれらｎ個についての経路の全長、日陰区間距離の総和及び日陰区間率が算出される。こうして算出された経路の全長、日陰区間距離の総和及び日陰区間率は、対象地域の日陰分布地図とともに表示装置２４へ送信される。
【００４８】
最後にＳ３０５として、表示装置２４により対象地域の日陰分布地図及び短い順に選択されたｎ個の経路が表示され、さらにそれらｎ個の経路それぞれの全長、日陰区間距離の総和及び日陰区間率が表示される（図７参照）。
【００４９】
以上のように、実施形態３の日陰分布地図作成装置では、キーボード２１によって年月日、時間帯、対象地域、出発地点及び終着地点を入力するだけで、自動的に表示装置２４に対象地域の日陰分布地図が表示されるとともに、出発地点から終着地点に至る経路が短い順にｎ個表示される。そして、それらｎ個の経路それぞれの全長、日陰区間距離の総和及び日陰区間率が表示される。このため、使用者は、表示装置２４によって示されたｎ個の経路の中から、それらの日陰に関するデータを見て最適な経路を容易に見つけることができる。
【００５０】
（実施形態４）
実施形態４の日陰分布地図作成装置は、図１に示すように、実施形態２及び実施形態３の日陰分布地図作成装置と同様、キーボード３１、データ保管装置３２、演算装置３３及び表示装置３４から構成されている。
【００５１】
演算装置３３は、実施形態３の演算装置２３と同様、日陰分布地図の作成、各歩道区間ごとの日陰区間距離の算出、出発地点から終着地点までの経路の全長が短い順にｎ個の経路の選出、経路の全長の算出、日陰区間距離の総和の算出及び日陰区間率の算出がなされる他、以下の（１）〜（４）の値が算出可能とされている。
【００５２】
（１）区間紫外線量：歩道区間を歩いた場合に歩行者が太陽から照射される紫外線の総量
（２）区間紫外線率：区間紫外線量／（日陰を全く通らずに歩道区間を歩行した場合に歩行者に照射される紫外線量）
（３）区間日陰快適度：歩道区間を歩いた歩行者が感じる日射に対する快適度であり、以下に示す区間日陰快適度関数ｆから求められる。
区間日陰快適度関数＝ｆ（歩行者の性別、年齢、身体的能力等の個人情報、歩道区間の気温、湿度、風速、勾配、区間紫外線量、区間紫外線率率、最大温度）
なお、区間日陰快適度関数は、様々な日陰条件下における歩行者の動向の調査に基づいて定めることができる関数である。
【００５３】
以上のように構成された実施形態４の日陰分布地図作成装置では、図８に示すフローチャートに従って日陰分布地図の作成処理がなされる。
【００５４】
すなわち、まずＳ４０１において、実施形態２におけるＳ２０１と同様にして時刻毎の太陽位置情報と三次元地図情報と実測された日陰分布地図の情報とがデータ保管装置３２に保管される。
【００５５】
次にＳ４０２において、キーボード３１から日陰分布地図の対象地域、年月日、時間帯、出発地点、終着地点、個人情報（個人の性別、年齢、身体的能力）及び対象地域情報（対象地域の気温、湿度及び風速）が入力される。
【００５６】
さらにＳ４０２として、実施形態３のＳ３０３と同様にして、日陰分布地図が算出される。
【００５７】
そしてＳ４０４として、各歩道区間ごとの日陰区間距離の算出、出発地点から終着地点までの経路の全長が短い順にｎ個の経路の選出、経路の全長の算出、日陰区間距離の総和の算出及び日陰区間率の算出がなされる。そして、区間紫外線量、区間紫外線率が算出される。こうして算出された各種の値と、上記個人情報と、上記対象地域情報とに基づき区間日陰快適度がｎ個の選出された経路ごとに算出される。そして、算出された区間日陰快適度が最も大きかった経路が選択され、対象地域の平面地図情報及び日陰分布とともに表示装置３４へ送信される。
【００５８】
最後にＳ４０５として、表示装置３４により、対象地域の日陰分布地図及び区間日陰快適度が最も大きかった経路が表示される（図９参照）。
【００５９】
以上のように、実施形態４の日陰分布地図作成装置では、キーボード３１によって年月日、時間帯、対象地域、出発地点及び終着地点を入力するだけで、自動的に表示装置３４に対象地域の平面地図と日陰分布が表示される。そして、さらにキーボード３１に入力された性別や年齢などの個人情報及び対象地域の気温、湿度などの対象地域情報から、歩行者にとって最適な経路を容易に見つけることができる。
【００６０】
なお、上記Ｓ４０４において、「出発地点から終着地点までの経路の全長が短い順にｎ個の経路の選出する」という経路の選出の替わりに、「車椅子が通過可能な経路の中から短い順にｎ個の経路を選出する」としてもよい。こうであれば、車椅子の利用者にとって最適な経路を容易に見つけることができる。
【産業上の利用可能性】
【００６１】
本発明によれば、希望する時刻及び希望する対象地域における日陰の分布地図を容易に作成することができる。
【図面の簡単な説明】
【００６２】
【図１】日陰分布地図作成装置のブロック図である。
【図２】通信ネットワークを用いた日陰分布地図作成装置の模式図である。
【図３】実施形態１の日陰分布地図作成装置におけるフローチャートである。
【図４】実施形態１の日陰分布地図作成装置で表示される日陰分布地図である。
【図５】実施形態２の日陰分布地図作成装置におけるフローチャートである。
【図６】実施形態３の日陰分布地図作成装置におけるフローチャートである。
【図７】実施形態３の日陰分布地図作成装置で表示される日陰分布地図及び選択された経路である。
【図８】実施形態４の日陰分布地図作成装置におけるフローチャートである。
【図９】実施形態４の日陰分布地図作成装置で表示される日陰分布地図及び選択された経路である。
【符号の説明】
【００６３】
１，１１，２１，３１…入力手段（キーボード）
２，１２，２２，３２…データ保管手段（情報保管装置）
３，１３，２３，３３…日陰分布地図作成手段（演算装置）
４，１４，２４，３４…表示手段（表示装置）
８…通信ネットワーク
６…携帯電話
Ｓ１０１，Ｓ２０１，Ｓ３０１，Ｓ４０１…日陰情報保管工程
Ｓ１０２，Ｓ２０２，Ｓ３０２，Ｓ４０２…入力工程
Ｓ１０３，Ｓ１０４，Ｓ２０３，Ｓ２０４，Ｓ２０５，Ｓ３０３，Ｓ３０４，Ｓ３０５，Ｓ４０３，Ｓ４０４，Ｓ４０５…日陰分布地図作成工程
【図１】
2005258107.tif 000003
【図２】
2005258107.tif 000004
【図３】
2005258107.tif 000005
【図４】
2005258107.tif 000006
【図５】
2005258107.tif 000007
【図６】
2005258107.tif 000008
【図７】
2005258107.tif 000009
【図８】
2005258107.tif 000010
【図９】
2005258107.tif 000011